(57)【要約】【課題】  無線通信端末が周囲の無線ネットワークを検出する際に、速やかに検出を行う。【解決手段】  チャネル信号受信部１３はチャネルの信号を受信する。サブキャリア抽出部２２はチャネル信号に含まれるサブキャリアを抽出する。受信レベル検出部２６はサブキャリアの各々の受信レベルを検出する。エラー検出部３１はサブキャリアからエラーを検出する。チャネル特定部４１は各サブキャリアの受信レベルから対応するチャネルを特定する。チャネル推測部４２は特定されたチャネルを使用中であると推測する。チャネル確定部４３は使用中であると推測されたチャネルについて、エラーが検出された場合にはそのチャネルを未使用であると確定し、エラーが検出されなかった場合にはそのチャネルを使用中であると確定する。チャネルリスト６１０は各チャネルの状態を保持する。【選択図】      図５
2005101787.tif 000002
【特許請求の範囲】
【請求項１】
チャネルの周波数帯域の一部が他のチャネルの周波数帯域の一部と重なるよう配置された直交周波数分割多重方式の受信装置であって、
あるチャネルの信号を受信するチャネル信号受信手段と、
受信したチャネル信号からそのチャネル信号に含まれるサブキャリアを抽出するサブキャリア抽出手段と、
前記抽出されたサブキャリアの各々の受信レベルを検出する受信レベル検出手段と、
前記受信レベルから対応するチャネルを特定するチャネル特定手段と、
前記特定されたチャネルを使用中であると推測し、前記受信したチャネルと周波数帯域が重なる近傍チャネルの中で特定されなかったチャネルを未使用であると確定するチャネル推測手段と
を具備することを特徴とする受信装置。
【請求項２】
前記抽出されたサブキャリアからエラーを検出するエラー検出手段をさらに具備し、
チャネル推測手段は、前記チャネル信号受信手段がチャネル信号を受信した場合であって前記エラー検出手段がエラーを検出しなかった場合には前記受信チャネルを使用中であると確定する
ことを特徴とする請求項１記載の受信装置。
【請求項３】
前記チャネル推測手段が使用中であると推測したチャネルについて、前記エラー検出手段がエラーを検出した場合には当該チャネルを未使用であると確定し、前記エラー検出手段がエラーを検出しなかった場合には当該チャネルを使用中であると確定するチャネル確定手段をさらに具備する
ことを特徴とする請求項２記載の受信装置。
【請求項４】
前記チャネル推測手段は、前記チャネル信号受信手段がチャネル信号を受信しない場合には当該チャネルおよび当該チャネルと周波数帯域が重なる近傍チャネルを未使用であると確定する
ことを特徴とする請求項１記載の受信装置。
【請求項５】
チャネルの周波数帯域の一部が他のチャネルの周波数帯域の一部と重なるよう配置された直交周波数分割多重方式の受信装置であって、
あるチャネルの信号を受信するチャネル信号受信手段と、
受信したチャネル信号からそのチャネル信号に含まれるサブキャリアを抽出するサブキャリア抽出手段と、
前記抽出されたサブキャリアからエラーを検出するエラー検出手段と、
前記抽出されたサブキャリアの各々の受信レベルを検出する受信レベル検出手段と、
前記受信レベルから対応するチャネルを特定するチャネル特定手段と、
前記チャネル信号受信手段がチャネル信号を受信しない場合には当該チャネルおよび当該チャネルと周波数帯域が重なる近傍チャネルを未使用であると確定し、前記チャネル信号受信手段がチャネル信号を受信した場合であって前記エラー検出手段がエラーを検出しなかった場合には前記受信チャネルを使用中であると確定し、前記チャネル信号受信手段がチャネル信号を受信した場合であって前記エラー検出手段がエラーを検出した場合には前記特定されたチャネルを使用中であると推測して前記受信したチャネルと周波数帯域が重なる近傍チャネルの中で特定されなかったチャネルを未使用であると確定するチャネル推測手段と、
前記チャネル推測手段が使用中であると推測したチャネルについて、前記エラー検出手段がエラーを検出した場合には当該チャネルを未使用であると確定し、前記エラー検出手段がエラーを検出しなかった場合には当該チャネルを使用中であると確定するチャネル確定手段と、
前記チャネル推測手段または前記チャネル確定手段において未使用または使用中であると推測または確定された各チャネルの状態を保持するチャネルリストと
を具備することを特徴とする受信装置。
【請求項６】
前記受信装置は、ＩＥＥＥ８０２．１１ｇ規格に準拠することを特徴とする請求項５記載の受信装置。
【請求項７】
ネットワークに接続するアクセスポイントと、このアクセスポイントから送信される信号であってチャネルの周波数帯域の一部が他のチャネルの周波数帯域の一部と重なるよう配置された直交周波数分割多重方式の信号をスキャンする端末とを具備する無線通信システムであって、
前記端末は、あるチャネルの信号を受信するチャネル信号受信手段と、受信したチャネル信号からそのチャネル信号に含まれるサブキャリアを抽出するサブキャリア抽出手段と、前記抽出されたサブキャリアからエラーを検出するエラー検出手段と、前記抽出されたサブキャリアの各々の受信レベルを検出する受信レベル検出手段と、前記受信レベルから対応するチャネルを特定するチャネル特定手段と、前記チャネル信号受信手段がチャネル信号を受信しない場合には当該チャネルおよび当該チャネルと周波数帯域が重なる近傍チャネルを未使用であると確定し、前記チャネル信号受信手段がチャネル信号を受信した場合であって前記エラー検出手段がエラーを検出しなかった場合には前記受信チャネルを使用中であると確定し、前記チャネル信号受信手段がチャネル信号を受信した場合であって前記エラー検出手段がエラーを検出した場合には前記特定されたチャネルを使用中であると推測して前記受信したチャネルと周波数帯域が重なる近傍チャネルの中で特定されなかったチャネルを未使用であると確定するチャネル推測手段と、前記チャネル推測手段が使用中であると推測したチャネルについて、前記エラー検出手段がエラーを検出した場合には当該チャネルを未使用であると確定し、前記エラー検出手段がエラーを検出しなかった場合には当該チャネルを使用中であると確定するチャネル確定手段と、前記チャネル推測手段または前記チャネル確定手段において未使用または使用中であると推測または確定された各チャネルの状態を保持するチャネルリストと
を具備することを特徴とする無線通信システム。
【請求項８】
チャネルの周波数帯域の一部が他のチャネルの周波数帯域の一部と重なるよう配置された各チャネルの状態を保持するチャネルリストを備える受信装置において、
所定のチャネルに設定して信号を受信して、当該チャネルの状態を前記チャネルリストに保持するとともに当該チャネルの近傍チャネルの中で使用中と推測されるチャネルを特定する第１のスキャン手順と、
前記特定されたチャネルに設定して信号を受信して、エラーを発生している場合には未使用であるとの状態を前記チャネルリストに保持し、エラーを発生していない場合には使用中であるとの状態を前記チャネルリストに保持する第２のスキャン手順と
を具備することを特徴とするスキャン方法。
【請求項９】
前記第１のスキャン手順は、チャネル信号を受信しない場合には当該チャネルおよび当該チャネルと周波数帯域が重なる近傍チャネルを未使用であると確定し、チャネル信号を受信した場合であってエラーを検出しなかった場合にはその受信チャネルを使用中であると確定し、チャネル信号を受信した場合であってエラーを検出した場合にはサブキャリアの受信レベルから使用中のチャネルを推測して、前記受信チャネルおよび当該チャネルと周波数帯域が重なる近傍チャネルの中で使用中と推測されなかったチャネルを未使用であると確定する
ことを特徴とする請求項８記載のスキャン方法。
【請求項１０】
チャネルの周波数帯域の一部が他のチャネルの周波数帯域の一部と重なるよう配置された各チャネルの状態を保持するチャネルリストを備える受信装置において、
所定のチャネルに設定して信号を受信して、当該チャネルの状態を前記チャネルリストに保持するとともに当該チャネルの近傍チャネルの中で使用中と推測されるチャネルを特定する第１のスキャン手順と、
前記特定されたチャネルに設定して信号を受信して、エラーを発生している場合には未使用であるとの状態を前記チャネルリストに保持し、エラーを発生していない場合には使用中であるとの状態を前記チャネルリストに保持する第２のスキャン手順と
をコンピュータに実行させることを特徴とするプログラム。
【発明の詳細な説明】
【技術分野】
【０００１】
本発明は、無線通信システムおよび受信装置に関し、特に限定された空間において無線によりネットワークへの接続を行う無線通信システム、受信装置、および、これらにおける処理方法ならびに当該方法をコンピュータに実行させるプログラムに関する。
【背景技術】
【０００２】
近年、自宅以外の公共の場において無線ネットワークへの接続を提供する無線通信システムが整備されている。例えば、駅、空港、ホテル、喫茶店、あるいは、街角などでインターネット等への接続を提供する環境が整いつつある。
【０００３】
このようなシステムにおいて、ユーザが無線通信端末を無線ネットワークへ接続する場合、何れの無線チャネルが利用可能であるかを知る必要がある。従来のようにオフィスや自宅等の身近な環境の中で無線ネットワークへ接続する場合には、その無線ネットワークを管理する管理者に問い合わせること等によって、無線接続先のアクセスポイントあるいは端末がどこにあるのか、そして、その無線接続先のアクセスポイントまたは端末がオペレートする無線通信チャネルが何れであるかを容易に知ることができる。従って、無線接続先アクセスポイントまたは端末との間で無線通信が可能なエリアを推測して、無線通信端末の位置を決め、接続する無線通信チャネルを決定することができる。
【０００４】
しかしながら、公共の場における無線通信システムでは、ユーザは無線接続先のアクセスポイントまたは端末がどこにあるのか、そして、どのような無線チャネルでオペレートされているのかを容易に知ることができず、無線接続先アクセスポイントまたは端末の無線送受信が可能なエリアを探したり、無線接続のための設定に手間を要することが多かった。
【０００５】
そこで、無線通信端末を使用するユーザが、現在位置する場所において接続可能な無線ネットワークを探して、無線ネットワークとの接続設定の作業を行うという一連の動作を簡易化するために、無線通信端末が周囲の無線ネットワークを自動的に検出し、ユーザに無線接続設定のためのユーザインタフェースを提供する方法が提案されている。この方法では、無線通信端末が定期的に無線ネットワークの全てのチャネルに対してスキャンを実行することにより周囲の無線ネットワークを検出している（例えば、特許文献１参照。）。
【特許文献１】特開２００２−３４４４５８号公報（図６）
【発明の開示】
【発明が解決しようとする課題】
【０００６】
上述の従来技術では、無線通信端末が定期的に無線ネットワークの全てのチャネルに対してスキャンを実行することにより周囲の無線ネットワークを検出していた。例えば、ＩＥＥＥ（米国電気電子学会）の８０２標準化委員会のワーキンググループによるＩＥＥＥ８０２．１１ｇ規格では計１３チャネルの無線チャネルを利用できることになっており、上述の従来技術によれば、これら１３チャネルを順次スキャンすることになる。
【０００７】
しかしながら、このように無線通信端末が周囲の無線ネットワークをスキャンする方法では、周囲の無線ネットワークを検出する期間が非常に長くなってしまい、無線通信端末とアクセスポイントとの間で本来の無線通信を行う期間が圧迫されてしまうという問題が生じていた。
【０００８】
そこで、本発明は、無線通信端末が周囲の無線ネットワークを検出する際に、速やかに検出を行うことを目的とする。
【課題を解決するための手段】
【０００９】
上記課題を解決するために本発明の請求項１記載の受信装置は、チャネルの周波数帯域の一部が他のチャネルの周波数帯域の一部と重なるよう配置された直交周波数分割多重方式の受信装置であって、あるチャネルの信号を受信するチャネル信号受信手段と、受信したチャネル信号からそのチャネル信号に含まれるサブキャリアを抽出するサブキャリア抽出手段と、上記抽出されたサブキャリアの各々の受信レベルを検出する受信レベル検出手段と、上記受信レベルから対応するチャネルを特定するチャネル特定手段と、上記特定されたチャネルを使用中であると推測し、上記受信したチャネルと周波数帯域が重なる近傍チャネルの中で特定されなかったチャネルを未使用であると確定するチャネル推測手段とを具備する。これにより、周囲の無線ネットワークを検出する際に、全てのチャネルをスキャンすることなしに、使用されている可能性のあるチャネルを特定するという作用をもたらす。
【００１０】
また、本発明の請求項２記載の受信装置は、請求項１記載の受信装置において、上記抽出されたサブキャリアからエラーを検出するエラー検出手段をさらに具備し、チャネル推測手段は、上記チャネル信号受信手段がチャネル信号を受信した場合であって上記エラー検出手段がエラーを検出しなかった場合には上記受信チャネルを使用中であると確定するものである。これにより、正常に受信されたチャネルについては使用中であると確定させるという作用をもたらす。
【００１１】
また、本発明の請求項３記載の受信装置は、請求項２記載の受信装置において、上記チャネル推測手段が使用中であると推測したチャネルについて、上記エラー検出手段がエラーを検出した場合には当該チャネルを未使用であると確定し、上記エラー検出手段がエラーを検出しなかった場合には当該チャネルを使用中であると確定するチャネル確定手段をさらに具備する。これにより、使用中であると推測されたチャネルについて未使用または使用中であると確定させるという作用をもたらす。
【００１２】
また、本発明の請求項４記載の受信装置は、請求項１記載の受信装置において、上記チャネル推測手段は、上記チャネル信号受信手段がチャネル信号を受信しない場合には当該チャネルおよび当該チャネルと周波数帯域が重なる近傍チャネルを未使用であると確定するものである。これにより、受信信号が検出されないチャネルおよびその近傍チャネルについては未使用であると確定させるという作用をもたらす。
【００１３】
また、本発明の請求項５記載の受信装置は、チャネルの周波数帯域の一部が他のチャネルの周波数帯域の一部と重なるよう配置された直交周波数分割多重方式の受信装置であって、あるチャネルの信号を受信するチャネル信号受信手段と、受信したチャネル信号からそのチャネル信号に含まれるサブキャリアを抽出するサブキャリア抽出手段と、上記抽出されたサブキャリアからエラーを検出するエラー検出手段と、上記抽出されたサブキャリアの各々の受信レベルを検出する受信レベル検出手段と、上記受信レベルから対応するチャネルを特定するチャネル特定手段と、上記チャネル信号受信手段がチャネル信号を受信しない場合には当該チャネルおよび当該チャネルと周波数帯域が重なる近傍チャネルを未使用であると確定し、上記チャネル信号受信手段がチャネル信号を受信した場合であって上記エラー検出手段がエラーを検出しなかった場合には上記受信チャネルを使用中であると確定し、上記チャネル信号受信手段がチャネル信号を受信した場合であって上記エラー検出手段がエラーを検出した場合には上記特定されたチャネルを使用中であると推測して上記受信したチャネルと周波数帯域が重なる近傍チャネルの中で特定されなかったチャネルを未使用であると確定するチャネル推測手段と、上記チャネル推測手段が使用中であると推測したチャネルについて、上記エラー検出手段がエラーを検出した場合には当該チャネルを未使用であると確定し、上記エラー検出手段がエラーを検出しなかった場合には当該チャネルを使用中であると確定するチャネル確定手段と、上記チャネル推測手段または上記チャネル確定手段において未使用または使用中であると推測または確定された各チャネルの状態を保持するチャネルリストとを具備する。これにより、周囲の無線ネットワークを検出する際に、全てのチャネルをスキャンすることなしに、まず使用されている可能性のあるチャネルを特定し、その特定されたチャネルに絞ってその状態を確定させるという作用をもたらす。
【００１４】
また、本発明の請求項６記載の受信装置は、請求項５記載の受信装置において、ＩＥＥＥ８０２．１１ｇ規格に準拠するものである。このＩＥＥＥ８０２．１１ｇ規格による直交周波数分割多重方式では、チャネルの周波数帯域の一部が他のチャネルの周波数帯域の一部と重なるよう配置されており、本発明を適用すると特に有用である。
【００１５】
また、本発明の請求項７記載の無線通信システムは、ネットワークに接続するアクセスポイントと、このアクセスポイントから送信される信号であってチャネルの周波数帯域の一部が他のチャネルの周波数帯域の一部と重なるよう配置された直交周波数分割多重方式の信号をスキャンする端末とを具備する無線通信システムであって、上記端末は、あるチャネルの信号を受信するチャネル信号受信手段と、受信したチャネル信号からそのチャネル信号に含まれるサブキャリアを抽出するサブキャリア抽出手段と、上記抽出されたサブキャリアからエラーを検出するエラー検出手段と、上記抽出されたサブキャリアの各々の受信レベルを検出する受信レベル検出手段と、上記受信レベルから対応するチャネルを特定するチャネル特定手段と、上記チャネル信号受信手段がチャネル信号を受信しない場合には当該チャネルおよび当該チャネルと周波数帯域が重なる近傍チャネルを未使用であると確定し、上記チャネル信号受信手段がチャネル信号を受信した場合であって上記エラー検出手段がエラーを検出しなかった場合には上記受信チャネルを使用中であると確定し、上記チャネル信号受信手段がチャネル信号を受信した場合であって上記エラー検出手段がエラーを検出した場合には上記特定されたチャネルを使用中であると推測して上記受信したチャネルと周波数帯域が重なる近傍チャネルの中で特定されなかったチャネルを未使用であると確定するチャネル推測手段と、上記チャネル推測手段が使用中であると推測したチャネルについて、上記エラー検出手段がエラーを検出した場合には当該チャネルを未使用であると確定し、上記エラー検出手段がエラーを検出しなかった場合には当該チャネルを使用中であると確定するチャネル確定手段と、上記チャネル推測手段または上記チャネル確定手段において未使用または使用中であると推測または確定された各チャネルの状態を保持するチャネルリストとを具備するものである。これにより、無線通信システム内の端末が周囲の無線ネットワークを検出する際に、全てのチャネルをスキャンすることなしに、まず使用されている可能性のあるチャネルを特定し、その特定されたチャネルに絞ってその状態を確定させるという作用をもたらす。
【００１６】
また、本発明の請求項８記載のスキャン方法は、チャネルの周波数帯域の一部が他のチャネルの周波数帯域の一部と重なるよう配置された各チャネルの状態を保持するチャネルリストを備える受信装置において、所定のチャネルに設定して信号を受信して、当該チャネルの状態を上記チャネルリストに保持するとともに当該チャネルの近傍チャネルの中で使用中と推測されるチャネルを特定する第１のスキャン手順と、上記特定されたチャネルに設定して信号を受信して、エラーを発生している場合には未使用であるとの状態を上記チャネルリストに保持し、エラーを発生していない場合には使用中であるとの状態を上記チャネルリストに保持する第２のスキャン手順とを具備する。これにより、周囲の無線ネットワークを検出する際に、全てのチャネルをスキャンすることなしに、まず第１のスキャン手順において使用されている可能性のあるチャネルを特定し、その特定されたチャネルに絞って第２のスキャン手順においてその状態を確定させるという作用をもたらす。
【００１７】
また、本発明の請求項９記載のスキャン方法は、請求項８記載のスキャン方法において、上記第１のスキャン手順は、チャネル信号を受信しない場合には当該チャネルおよび当該チャネルと周波数帯域が重なる近傍チャネルを未使用であると確定し、チャネル信号を受信した場合であってエラーを検出しなかった場合にはその受信チャネルを使用中であると確定し、チャネル信号を受信した場合であってエラーを検出した場合にはサブキャリアの受信レベルから使用中のチャネルを推測して、上記受信チャネルおよび当該チャネルと周波数帯域が重なる近傍チャネルの中で使用中と推測されなかったチャネルを未使用であると確定するものである。これにより、受信信号が検出されないチャネルについてはそのチャネルおよびその近傍チャネルを未使用であると確定させ、正常に受信されたチャネルについては使用中であると確定させるという作用をもたらす。
【００１８】
また、本発明の請求項１０記載のプログラムは、チャネルの周波数帯域の一部が他のチャネルの周波数帯域の一部と重なるよう配置された各チャネルの状態を保持するチャネルリストを備える受信装置において、所定のチャネルに設定して信号を受信して、当該チャネルの状態を上記チャネルリストに保持するとともに当該チャネルの近傍チャネルの中で使用中と推測されるチャネルを特定する第１のスキャン手順と、上記特定されたチャネルに設定して信号を受信して、エラーを発生している場合には未使用であるとの状態を上記チャネルリストに保持し、エラーを発生していない場合には使用中であるとの状態を上記チャネルリストに保持する第２のスキャン手順とをコンピュータに実行させるものである。これにより、周囲の無線ネットワークを検出する際に、全てのチャネルをスキャンすることなしに、まず第１のスキャン手順において使用されている可能性のあるチャネルを特定し、その特定されたチャネルに絞って第２のスキャン手順においてその状態を確定させるという作用をもたらす。
【発明の効果】
【００１９】
本発明によれば、無線通信端末が周囲の無線ネットワークを検出する際に、速やかな検出を実現するという優れた効果を奏し得る。
【発明を実施するための最良の形態】
【００２０】
次に本発明の実施の形態について図面を参照して詳細に説明する。
【００２１】
図１は、本発明の実施の形態における無線通信システムの全体構成を示す図である。この無線通信システムでは、ネットワーク４に接続する通信装置３がアクセスポイントとして機能する。このアクセスポイントとして機能する通信装置３は、例えば、駅、空港、ホテル、喫茶店、あるいは、街角などの公共の場に設置される。また、このアクセスポイントは、通常１台当り１つのチャネルにより接続の提供を行う。但し、互いに相手のアクセスポイントが見えないような状況では、複数のアクセスポイントが同一チャネルを使用することも起こり得る。
【００２２】
ユーザは、端末として機能する通信装置１を用いてネットワーク４に接続しようと試みる。この通信装置１には、パーソナルコンピュータ等の情報処理装置２が接続できるようになっている。ユーザは、この情報処理装置２のキーボード等の指示装置から指示を行い、液晶ディスプレイ等の表示装置によりその表示内容を確認する。
【００２３】
公共の場での使用形態としては、喫茶店内のように一時的に固定位置で操作をすることも想定できるが、より一般的には常に移動し得る状況を想定する必要がある。従って、あるチャネルにより通信を行っている最中であっても、さらに利用可能なチャネルをスキャンするような使用形態を想定すべきである。
【００２４】
図２は、本発明の実施の形態における通信装置１の一構成例を示す図である。この通信装置１は、無線通信部１００と、ベースバンド処理部２００と、通信制御部３００と、システム制御部４００とを備えており、これらはシステムバス４９０により接続されている。無線通信部１００およびベースバンド処理部２００は主に物理層の処理を行い、通信制御部３００は主に論理層のＭＡＣ（メディアアクセス制御）副層の処理を行う。また、システム制御部４００は、通信装置１全体の制御を行う。
【００２５】
無線通信部１００は、通信装置１の外部との間で無線通信を行うためのものであり、無線信号を送信する送信部１１０と、無線信号を受信する受信部１３０と、送信部１１０および受信部１３０の間でアンテナを切替えるアンテナ切替器１２０とを備える。アンテナ切替器１２０にはアンテナ１０１が接続される。送信部１１０は、ベースバンド処理部２００からのベースバンド信号を直交変調して所定の中間周波数帯の中間信号を生成し、さらに高周波信号に変換して送信する。受信部１３０は、受信した高周波信号を中間信号に変換して、直交復調することによりベースバンド信号を生成する。
【００２６】
ベースバンド処理部２００は、ベースバンド信号の変復調を行うためのものであり、ベースバンド信号を送信部１１０に供給する変調部２１０と、受信部１３０から供給されるベースバンド信号を復調する復調部２３０とを備える。変調部２１０は、送信パケットをベースバンド信号に変調するものであり、ＩＥＥＥ８０２．１１ｇ規格におけるＯＦＤＭ（直交周波数分割多重）方式では、畳込み符号化を行なった後、インターリーブ処理により送信パケットのビットを並び替え、サブキャリアに分割して変調した後で逆フーリエ変換を施すことにより全てのサブキャリアを時間領域で合成した信号を生成する。また、マルチパス干渉を回避するためにガードインターバルが挿入される。一方、復調部２３０は、受信したベースバンド信号を受信パケットに復調するものであり、ＩＥＥＥ８０２．１１ｇ規格におけるＯＦＤＭ変調では、ガードインターバルを除去した上で、フーリエ変換によりサブキャリアに分波され、サブキャリア毎に復調される。そして、デインタリーブ処理によりビット並びが戻された後に、誤り訂正のための畳込み符号が復号される。
【００２７】
通信制御部３００は、ＭＡＣ副層における処理を行うものであり、後述のＭＡＣフレームにおけるＭＡＣヘッダを解釈して所定の処理を行う。また、この通信制御部３００は、ＭＡＣフレーム毎に付加されたＦＣＳ（フレームチェックシーケンス）を調べて、エラーの発生を検出する機能を有する。
【００２８】
システム制御部４００は、通信装置１全体の制御を行うものであり、処理を行うプロセッサ４１０と、作業領域等を記憶するメモリ４２０と、インターフェース４３０とを備えている。インターフェース４３０には、例えばパーソナルコンピュータ等の情報処理装置２が接続される。情報処理装置２は物理的に通信装置１の外部に接続されるものでもよく、また、通信装置１が情報処理装置２に内蔵されるような接続形態でもよい。
【００２９】
図３は、本発明の実施の形態における復調部２３０の一構成例を示す図である。この復調部２３０は、ガードインターバル除去回路２３１と、離散フーリエ変換器２３２と、サブキャリア復調器２３３と、デインターリーブ回路２３４と、誤り訂正回路２３５と、サブキャリア電力レベル演算器２３６と、ネットワーク電力レベル演算器２３７とを備える。
【００３０】
ガードインターバル除去回路２３１は、ベースバンド信号からガードインターバルを取り除くための回路である。ＯＦＤＭでは、マルチパス遅延波の干渉を回避するために、送信側でガードインターバルと呼ばれる冗長信号が挿入される。このガードインターバルを取り除くのがガードインターバル除去回路２３１の役割である。このガードインターバルが除去されたＯＦＤＭのマルチキャリア信号は離散フーリエ変換器２３２に供給される。
【００３１】
離散フーリエ変換器２３２は、時間軸で表現された信号の周波数成分を抽出する回路であり、ここではガードインターバルが除去されたマルチキャリア信号から各サブキャリア信号を分波する機能を有する。これら分波されたサブキャリア信号は、サブキャリア復調器２３３およびサブキャリア電力レベル演算器２３６に供給される。
【００３２】
サブキャリア電力レベル演算器２３６は、離散フーリエ変換器２３２により分波されたサブキャリア毎の受信レベルを算出する回路である。離散フーリエ変換器２３２の出力はサブキャリア毎の複素データであり、Ｉ軸およびＱ軸のそれぞれの電圧レベルを示す。従って、この複素データをＶＩおよびＶＱとして表すと、各軸の電力レベルＰＩおよびＰＱは、オームの法則より、
ＰＩ＝ＶＩ２／Ｒ
ＰＱ＝ＶＱ２／Ｒ
となる。ここで、Ｒは５０オームのインピーダンスである。
【００３３】
従って、サブキャリアとしての電力レベルＰ、すなわち受信レベルは、
Ｐ＝ＳＱＲＴ（ＰＩ２＋ＰＱ２）
として表される。但し、ＳＱＲＴは二乗根（ルート）を意味する。
【００３４】
ネットワーク電力レベル演算器２３７は、ネットワークとしての受信レベルを算出する回路である。具体的には、サブキャリア電力レベル演算器２３６により算出されたサブキャリア毎の受信レベルを全て加算したものがネットワークとしての受信レベルとなる。これらサブキャリア電力レベル演算器２３６およびネットワーク電力レベル演算器２３７による算出結果はシステム制御部４００に供給される。
【００３５】
サブキャリア復調器２３３は、分波されたサブキャリア毎にディジタル信号を復調する回路である。デインターリーブ回路２３４は、送信時のインタリーブ処理により並び替えられたビットの並び順序をもとに戻す回路である。誤り訂正回路２３５は、誤り訂正のための畳込み符号を復号する回路であり、例えばビタビ複号法が採用される。このビタビ複号は、畳込み符号化されたデータ列として最もふさわしいデータ列を推定する誤り訂正方法である。この誤り訂正まで完了した受信信号は通信制御部３００に供給され、ＭＡＣ副層における処理に供される。
【００３６】
図４は、ＩＥＥＥ８０２．１１規格におけるＭＡＣフレームのフレーム構成を示す図である。このＭＡＣフレームは、フレーム制御７０１と、デュレーション／ＩＤ７０２と、アドレス１乃至４（７０３乃至７０５および７０７）と、シーケンス制御７０６と、フレームボディ７０８と、ＦＣＳ（フレームチェックシーケンス）７０９とを備えている。また、フレーム制御７０１からアドレス４（７０７）までの領域はＭＡＣヘッダと呼ばれる。
【００３７】
フレーム制御７０１は、各種の制御情報を保持する領域であり、例えば、フレームタイプや送受信局の種別が含まれる。デュレーション／ＩＤ７０２は、無線回線を使用する予定期間などを保持する領域である。
【００３８】
アドレス１乃至４（７０３乃至７０５および７０７）は、宛先アドレスや送信元アドレスなどを示す領域であり、それぞれの領域で何れのアドレスを保持するかは、上述のフレーム制御７０１における送受信局の種別により異なる。シーケンス制御７０６は、ＭＡＣフレームのシーケンス番号と、フラグメントのためのフラグメント番号を示す領域である。
【００３９】
フレームボディ７０８は、ＭＡＣフレームにより転送されるデータ本体である。一部の制御フレームの場合には、このフレームボディ７０８が存在しないこともある。ＦＣＳ７０９は、ＭＡＣヘッダとフレームボディ７０８とを合わせた巡回冗長検査符号（ＣＲＣ）であり、フレーム毎のエラーを検出するために用いられる。
【００４０】
図５は、本発明の実施の形態における通信装置１の機能構成を示す図である。この機能構成は、チャネル信号受信部１３と、サブキャリア抽出部２２と、受信レベル検出部２６と、エラー検出部３１と、チャネル特定部４１と、チャネル推測部４２と、チャネル確定部４３と、チャネルリスト６１０とを備えている。
【００４１】
チャネル信号受信部１３は、あるチャネルの信号を受信するものであり、図２の無線通信部１００における受信部１３０に相当する。サブキャリア抽出部２２は、チャネル信号受信部１３によって受信されたチャネル信号からそのチャネル信号に含まれるサブキャリアを抽出するものであり、図３の復調部２３０における離散フーリエ変換器２３２に相当する。
【００４２】
受信レベル検出部２６は、サブキャリア抽出部２２によって抽出されたサブキャリアの各々の受信レベルを検出するものであり、図３の復調部２３０におけるサブキャリア電力レベル演算器２３６に相当する。
【００４３】
エラー検出部３１は、サブキャリア抽出部２２によって抽出されたサブキャリアからエラーを検出するものであり、図２の通信制御部３００における機能に相当する。このエラー検出部３１は、図４のＭＡＣフレームにおけるＦＣＳ７０９を使用してフレーム単位のエラーを検出する。
【００４４】
チャネル特定部４１は、受信レベル検出部２６により検出された各サブキャリアの受信レベルから対応するチャネルを特定するものであり、図２のシステム制御部４００におけるプロセッサ４１０により実現される機能である。
【００４５】
チャネル推測部４２は、チャネル特定部４１により特定されたチャネルを使用中であると推測する。また、チャネル推測部４２は、チャネル信号受信部１３によって受信されたチャネルおよびその受信チャネルと周波数帯域が重なる近傍チャネルの中で特定されなかったチャネルを未使用であると確定する。但し、チャネル信号受信部１３によって受信信号が検出されなかった場合には、そのチャネルおよびそのチャネルと周波数帯域が重なる近傍チャネルは未使用であると確定する。また、チャネル信号受信部１３によって受信信号が検出された場合であっても、エラー検出部３１によってエラーが検出されなければそのチャネルは使用中であると確定する。このチャネル推測部４２は、図２のシステム制御部４００におけるプロセッサ４１０により実現される機能である。また、このチャネル推測部４２により確定または推測されたチャネルの状態はチャネルリスト６１０に保持される。
【００４６】
チャネル確定部４３は、チャネル推測部４２により使用中であると推測されたチャネルについて、エラー検出部３１がエラーを検出した場合にはそのチャネルを未使用であると確定し、エラー検出部３１がエラーを検出しなかった場合にはそのチャネルを使用中であると確定する。このチャネル確定部４３は、図２のシステム制御部４００におけるプロセッサ４１０により実現される機能である。また、このチャネル確定部４３により確定されたチャネルの状態はチャネルリスト６１０に保持される。
【００４７】
チャネルリスト６１０は、各チャネルの状態を示すものであり、例えば、システム制御部４００におけるメモリ４２０に保持される。
【００４８】
図６は、本発明の実施の形態におけるチャネルリスト６１０の一構成例を示す図である。このチャネルリスト６１０は、チャネル番号６１１毎に、基本サービスセット識別子（ＢＳＳＩＤ）６１２と、受信レベル６１３と、ステータス６１４とを保持する。
【００４９】
基本サービスセット識別子６１２は、基本サービスセット毎に付与される識別子であり、ネットワークを識別するために用いられる。ここで、基本サービスセットとは、１つのアクセスポイントと少なくとも１つの端末とにより構成されるネットワークをいう。基本サービスセット識別子６１２としては、実際にはアクセスポイントのＭＡＣアドレスが用いられる。
【００５０】
受信レベル６１３は、対応するチャネルの受信レベルをｄＢｍ換算で表す。このｄＢｍの単位は、１ｍＷの電力を基準とする電力比によるデシベル表現である。この受信レベル６１３としては、実用上、７０ｄＢｍ以上であることが望ましい。この受信レベル６１３は、ネットワーク電力レベル演算器２３７から供給される値を保持する。
【００５１】
ステータス６１４は、対応するチャネルの使用状態を表す。使用状態としては、例えば「使用中（確定）」、「使用中（推測）」、「未使用（確定）」の３種類がある。すなわち、そのチャネルが使用中であるのか未使用であるのかが示されるとともに、不明な場合には使用中であると推測された旨が示される。このステータス６１４は、まずチャネル推測部４２により暫定的な値が設定され、使用中であると推測されたチャネルについてはチャネル確定部４３により最終的な判断がなされる。なお、このステータス６１４の具体的な設定手順については後述する。
【００５２】
図７は、ＩＥＥＥ８０２．１１ｇ規格におけるＯＦＤＭ方式のチャネル配置を示す図である。このＩＥＥＥ８０２．１１ｇ規格により使用される２．４ＧＨｚ帯は、ＩＳＭ（産業科学医療用）バンドと呼ばれる。ＩＥＥＥ８０２．１１ｇ規格では、この２．４ＧＨｚ帯における１００ＭＨｚの帯域幅を５ＭＨｚずつ１３のチャネルに区分している。
【００５３】
各チャネルは周波数帯域の一部が他のチャネルと重なるように定義されている。これは、他のシステムから干渉を受けた場合にその干渉を回避するために中心周波数をシフトできるようにしたものである。この２．４ＧＨｚ帯を同一の場所で使う場合には、互いの周波数帯域が重ならないようにして、３チャネル分を確保できるようになっている。
【００５４】
各チャネルは中心周波数のサブキャリア番号を０として、上下に−２６から＋２６までの計５３本により構成される。中心のサブキャリア番号０は、アナログ回路の不完全性による劣化が大きいため、実際の通信には使用されない。また、サブキャリア番号−２１、−７、＋７、＋２１の４本のサブキャリアは、受信の位相回転補正に必要なパイロット信号の送信のために使用される。従って、実質的なデータ通信に用いられるのは残る４８本のサブキャリアである。
【００５５】
図８は、ＩＥＥＥ８０２．１１ｇ規格におけるチャネル内のサブキャリアの配置を示す図である。この図８では、一例としてチャネル＃６を中心として、前後のチャネル＃３、＃４、＃５、＃７、＃８、＃９におけるサブキャリアとの対応関係を示している。
【００５６】
すなわち、チャネル＃６のサブキャリア番号−２６から−２２は、チャネル＃３のサブキャリア番号＋２２から＋２６と周波数が重なる。また、チャネル＃６のサブキャリア番号−２６から−６は、チャネル＃４のサブキャリア番号＋６から＋２６と周波数が重なる。また、チャネル＃６のサブキャリア番号−２６から＋１０は、チャネル＃５のサブキャリア番号−１０から＋２６と周波数が重なる。また、チャネル＃６のサブキャリア番号−１０から＋２６は、チャネル＃７のサブキャリア番号−２６から＋１０と周波数が重なる。また、チャネル＃６のサブキャリア番号＋６から＋２６は、チャネル＃８のサブキャリア番号−２６から−６と周波数が重なる。また、チャネル＃６のサブキャリア番号＋２２から＋２６は、チャネル＃９のサブキャリア番号−２６から−２２と周波数が重なる。なお、このように、あるチャネルの一部のサブキャリアと周波数が重なるチャネルを近傍チャネルという。
【００５７】
従って、例えば、チャネル＃６を受信した際の各サブキャリアの受信レベルを検出することにより、そのサブキャリアの分布によってチャネル＃６の近傍の何れのチャネルが使用中であるかを推測することができる。
【００５８】
例えば、チャネル＃６を受信した際にサブキャリア番号−２６から−２２において所定の受信レベルを検出した場合には、チャネル＃３が使用中であると推測することができる。同様に他の近傍チャネルについて使用状態を推測することができる。但し、チャネル＃６を設定して受信しようとしても何れのサブキャリアにおいても所定の受信レベルを検出できない場合には、そのチャネル＃６およびその近傍チャネルであるチャネル＃３、＃４、＃５、＃７、＃８、＃９は未使用であると確定する。また、チャネル＃６を設定して受信信号を検出した際にエラー検出部３１によってエラーが検出されることなく、正常に受信できた場合には、そのチャネル＃６を使用中であると確定する。逆に、チャネル＃６を設定して受信信号を検出した際にエラー検出部３１によってエラーが検出された場合には、チャネル＃６を未使用であると確定するとともに、その近傍チャネルのうちで上述のサブキャリア毎の受信レベル検出によって使用中であると推測されなかったチャネル（上の例では、チャネル＃４、＃５、＃７、＃８、＃９）は未使用であると確定する。
【００５９】
なお、サブキャリアを検出するための所定の受信レベルとして、例えば、３０ｄＢｍから７０ｄＢｍ程度を想定することができる。
【００６０】
次に本発明の実施の形態における通信装置１のチャネルスキャンの動作について図面を参照して説明する。
【００６１】
図９は、本発明の実施の形態における通信装置１のチャネルスキャンの動作手順を示す図である。まず、通信装置１は、周囲の無線ネットワークの検出要求を受けると、物理層における受信モードをＯＦＤＭモードに設定する（ステップＳ９１０）。そして、通信装置１は、受信レベルが小さくても同期引き込みが可能となるように、同期検出の閾値を下げる（ステップＳ９２０）。また、通信装置１は、チャネルリスト６１０におけるステータス６１４の内容をクリアする（ステップＳ９３０）。
【００６２】
ここまでの準備が整った後、通信装置１は、推測スキャンという第１段階のスキャンを行う（ステップＳ９４０）。この推測スキャンによりチャネルリスト６１０における各チャネルのステータス６１４には、例えば「使用中（確定）」、「使用中（推測）」、「未使用（確定）」の何れかが設定される。
【００６３】
そして、通信装置１は、確定スキャンという第２段階のスキャンを行う（ステップＳ９５０）。この確定スキャンでは、推測スキャンにおいて使用中と推測されたチャネルについて受信を行い、使用中または未使用であると確定させて、チャネルリスト６１０におけるステータス６１４に設定する。
【００６４】
その後、通信装置１は、ステップＳ９２０で引き下げた同期検出の閾値をもとに戻す（ステップＳ９６０）。
【００６５】
図１０は、本発明の実施の形態における推測スキャン（ステップＳ９４０）の動作手順を示す図である。この推測スキャンでは、まず所定のチャネルに設定を行って（ステップＳ９４１）、信号を受信する（ステップＳ９４２）。ここで、設定するチャネルは、例えば、チャネル＃１、＃６、＃１１のように間隔を空けた方がより効率良くスキャンすることができる。
【００６６】
その結果、ステップＳ９４１で設定したチャネル（以下、現チャネルという。）において受信信号を検出しない場合には（ステップＳ９４３）、現チャネルおよび現チャネルと周波数帯域の一部が重なるチャネル（以下、近傍チャネルという。）のステータス６１４を未使用であると確定する（ステップＳ９４５）。
【００６７】
また、現チャネルにおいて受信信号を検出した場合には（ステップＳ９４３）、エラー検出部３１でエラーが検出されなければ（ステップＳ９４４）、現チャネルのステータス６１４を使用中であると確定する（ステップＳ９４６）。一方、現チャネルにおいて受信信号を検出したものの（ステップＳ９４３）、エラー検出部３１でエラーが検出された場合には（ステップＳ９４４）、チャネル特定部４１において近傍チャネルの中からチャネルを特定し（ステップＳ９４７）、この特定されたチャネル（以下、特定チャネルという。）のステータス６１４を使用中であると推測する（ステップＳ９４８）。また、特定チャネル以外の近傍チャネルおよび現チャネルのステータス６１４を未使用であると確定する（ステップＳ９４８）。
【００６８】
これらの手順を上述の所定のチャネル（例えば、チャネル＃１、＃６、＃１１）について一通り完了すれば（ステップＳ９４８）、この推測スキャンは終了し、次の確定スキャン（ステップＳ９５０）に移る。
【００６９】
図１１および図１２は、本発明の実施の形態におけるチャネル特定（ステップＳ９４７）の手順を示す図である。ここでは、図８のようなサブキャリアを有するチャネル＃ｉ（ｉは１から１３の整数）を想定する。また、チャネル番号として１から１３の範囲超える値が指定されることとなった場合にはその処理は無視される。
【００７０】
まず、現チャネルとしてチャネル＃ｉを設定して信号を受信した際にサブキャリア番号−２６から−２２が検出された場合には（ステップＳ９７１）、チャネル＃［ｉ−３］が使用されている可能性があるとして特定される（ステップＳ９７２）。一方、サブキャリア番号−２６から−２２が検出されなかった場合には（ステップＳ９７１）、チャネル＃［ｉ−３］は特定されず、通常通り現チャネルの近傍チャネルとして取り扱われる（ステップＳ９７３）。
【００７１】
また、さらにサブキャリア番号−２１から−６が検出された場合には（ステップＳ９７４）、チャネル＃［ｉ−２］が使用されている可能性があるとして特定される（ステップＳ９７５）。一方、サブキャリア番号−２１から−６が検出されなかった場合には（ステップＳ９７４）、チャネル＃［ｉ−２］は特定されず、通常通り現チャネルの近傍チャネルとして取り扱われる（ステップＳ９７６）。
【００７２】
また、さらにサブキャリア番号−５から＋１０が検出された場合には（ステップＳ９７７）、チャネル＃［ｉ−１］が使用されている可能性があるとして特定される（ステップＳ９７８）。一方、サブキャリア番号−５から＋１０が検出されなかった場合には（ステップＳ９７７）、チャネル＃［ｉ−１］は特定されず、通常通り現チャネルの近傍チャネルとして取り扱われる（ステップＳ９７９）。
【００７３】
そして、サブキャリア番号＋２２から＋２６が検出された場合には（ステップＳ９８１）、チャネル＃［ｉ＋３］が使用されている可能性があるとして特定される（ステップＳ９８２）。一方、サブキャリア番号＋２２から＋２６が検出されなかった場合には（ステップＳ９８１）、チャネル＃［ｉ＋３］は特定されず、通常通り現チャネルの近傍チャネルとして取り扱われる（ステップＳ９８３）。
【００７４】
また、さらにサブキャリア番号＋６から＋２１が検出された場合には（ステップＳ９８４）、チャネル＃［ｉ＋２］が使用されている可能性があるとして特定される（ステップＳ９８５）。一方、サブキャリア番号＋６から＋２１が検出されなかった場合には（ステップＳ９８４）、チャネル＃［ｉ＋２］は特定されず、通常通り現チャネルの近傍チャネルとして取り扱われる（ステップＳ９８６）。
【００７５】
また、さらにサブキャリア番号−１０から＋５が検出された場合には（ステップＳ９８７）、チャネル＃［ｉ＋１］が使用されている可能性があるとして特定される（ステップＳ９８８）。一方、サブキャリア番号−１０から＋５が検出されなかった場合には（ステップＳ９８７）、チャネル＃［ｉ＋１］は特定されず、通常通り現チャネルの近傍チャネルとして取り扱われる（ステップＳ９８９）。
【００７６】
図１３は、本発明の実施の形態における確定スキャン（ステップＳ９５０）の動作手順を示す図である。この確定スキャンは、推測スキャンにおいて使用中であると推測されたチャネルについて使用中または未使用の何れかに確定させる役割を有する。まず、チャネルリスト６１０のステータス６１４として使用中と推測されたチャネルが存在するか否かが調べられる（ステップＳ９５１）。使用中と推測されたチャネルが存在すれば、そのチャネルを現チャネルとして設定して（ステップＳ９５２）、信号を受信する（ステップＳ９５３）。
【００７７】
その結果、エラー検出部３１でエラーが検出されなければ（ステップＳ９５４）、現チャネルのステータス６１４を使用中であると確定する（ステップＳ９５５）。一方、エラー検出部３１でエラーが検出されれば（ステップＳ９５４）、現チャネルのステータス６１４を未使用であると確定する（ステップＳ９５６）。
【００７８】
推測スキャンにおいて使用中であると推測されたチャネルについて以上の処理を行い、全てのチャネルについてステータス６１４が確定された段階で（ステップＳ９５１）、この確定スキャンは終了する。
【００７９】
このように、本発明の実施の形態によれば、推測スキャンにおいて所定のチャネルを受信することにより、使用されている可能性があるチャネルを特定しておき、その後の確定スキャンにより使用中または未使用の何れかに確定させる。これにより、全てのチャネルを逐一スキャンするよりも速やかに各チャネルの状態を把握することができる。
【００８０】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００８１】
すなわち、請求項１において、チャネル信号受信手段は例えばチャネル信号受信部１３に対応する。また、サブキャリア抽出手段は例えばサブキャリア抽出部２２に対応する。また、受信レベル検出手段は例えば受信レベル検出部２６に対応する。また、チャネル特定手段は例えばチャネル特定部４１に対応する。また、チャネル推測手段は例えばチャネル推測部４２に対応する。
【００８２】
また、請求項２において、エラー検出手段は例えばエラー検出部３１に対応する。
【００８３】
また、請求項３において、チャネル確定手段は例えばチャネル確定部４３に対応する。
【００８４】
また、請求項５において、チャネル信号受信手段は例えばチャネル信号受信部１３に対応する。また、サブキャリア抽出手段は例えばサブキャリア抽出部２２に対応する。また、エラー検出手段は例えばエラー検出部３１に対応する。また、受信レベル検出手段は例えば受信レベル検出部２６に対応する。また、チャネル特定手段は例えばチャネル特定部４１に対応する。また、チャネル推測手段は例えばチャネル推測部４２に対応する。また、チャネル確定手段は例えばチャネル確定部４３に対応する。また、チャネルリストは例えばチャネルリスト６１０に対応する。
【００８５】
また、請求項７において、ネットワークは例えばネットワーク４に対応する。また、アクセスポイントは例えば通信装置３に対応する。また、端末は例えば通信装置１に対応する。チャネル信号受信手段は例えばチャネル信号受信部１３に対応する。また、サブキャリア抽出手段は例えばサブキャリア抽出部２２に対応する。また、エラー検出手段は例えばエラー検出部３１に対応する。また、受信レベル検出手段は例えば受信レベル検出部２６に対応する。また、チャネル特定手段は例えばチャネル特定部４１に対応する。また、チャネル推測手段は例えばチャネル推測部４２に対応する。また、チャネル確定手段は例えばチャネル確定部４３に対応する。また、チャネルリストは例えばチャネルリスト６１０に対応する。
【００８６】
また、請求項８および１０において、第１のスキャン手順は例えば推測スキャン（ステップＳ９４０）に対応する。また、第２のスキャン手順は例えば確定スキャン（ステップＳ９５０）に対応する。
【００８７】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【産業上の利用可能性】
【００８８】
本発明の活用例として、例えば携帯端末を公共の場に設置されたアクセスポイントに接続しようとする場合において、そのチャネルをスキャンする際に本発明を適用することができる。
【図面の簡単な説明】
【００８９】
【図１】本発明の実施の形態における無線通信システムの全体構成を示す図である。
【図２】本発明の実施の形態における通信装置１の一構成例を示す図である。
【図３】本発明の実施の形態における復調部２３０の一構成例を示す図である。
【図４】ＩＥＥＥ８０２．１１規格におけるＭＡＣフレームのフレーム構成を示す図である。
【図５】本発明の実施の形態における通信装置１の機能構成を示す図である。
【図６】本発明の実施の形態におけるチャネルリスト６１０の一構成例を示す図である。
【図７】ＩＥＥＥ８０２．１１ｇ規格におけるＯＦＤＭ方式のチャネル配置を示す図である。
【図８】ＩＥＥＥ８０２．１１ｇ規格におけるチャネル内のサブキャリアの配置を示す図である。
【図９】本発明の実施の形態における通信装置１のチャネルスキャンの動作手順を示す図である。
【図１０】本発明の実施の形態における推測スキャン（ステップＳ９４０）の動作手順を示す図である。
【図１１】本発明の実施の形態におけるチャネル特定（ステップＳ９４７）の前半の手順を示す図である。
【図１２】本発明の実施の形態におけるチャネル特定（ステップＳ９４７）の後半の手順を示す図である。
【図１３】本発明の実施の形態における確定スキャン（ステップＳ９５０）の動作手順を示す図である。
【符号の説明】
【００９０】
１  通信装置（端末）
２  情報処理装置
３  通信装置（アクセスポイント）
４  ネットワーク
１３  チャネル信号受信部
２２  サブキャリア抽出部
２６  受信レベル検出部
３１  エラー検出部
４１  チャネル特定部
４２  チャネル推測部
４３  チャネル確定部
１００  無線通信部
１０１  アンテナ
１１０  送信部
１２０  アンテナ切替器
１３０  受信部
２００  ベースバンド処理部
２１０  変調部
２３０  復調部
２３１  ガードインターバル除去回路
２３２  離散フーリエ変換器
２３３  サブキャリア復調器
２３４  デインターリーブ回路
２３５  誤り訂正回路
２３６  サブキャリア電力レベル演算器
２３７  ネットワーク電力レベル演算器
３００  通信制御部
４００  システム制御部
４１０  プロセッサ
４２０  メモリ
４３０  インターフェース
４９０  システムバス
６１０  チャネルリスト
【図１】
2005101787.tif 000003
【図２】
2005101787.tif 000004
【図３】
2005101787.tif 000005
【図４】
2005101787.tif 000006
【図５】
2005101787.tif 000007
【図６】
2005101787.tif 000008
【図７】
2005101787.tif 000009
【図８】
2005101787.tif 000010
【図９】
2005101787.tif 000011
【図１０】
2005101787.tif 000012
【図１１】
2005101787.tif 000013
【図１２】
2005101787.tif 000014
【図１３】
2005101787.tif 000015